(57)【要約】【課題】任意の大きさ及び平面形状の防水床を構築することができる防水床構造を提供する。【解決手段】防水床は、床スラブ１の上側に該床スラブ１の上面から離隔して下地板２を設置し、その上側に防水シート６を敷設し、この防水シート６の上にセメント板７を貼り付け、さらにその上からタイル８を貼り付けることにより形成される。下地板２及び防水シート６は任意の大きさ及び平面形状とすることができる。【選択図】図１
2006132197.tif 000002
【特許請求の範囲】
【請求項１】
床スラブの上側に該床スラブから離隔して設置された下地板と、
該下地板の上側に敷設された防水シートと、
該防水シートの上側に設けられた床仕上げ材と
を備えた防水床構造であって、
該下地板にトラップ設置用の開口が設けられ、該開口に排水トラップが設置されていることを特徴とする防水床構造。
【請求項２】
請求項１において、該排水トラップは、上縁外周に鍔部を有しており、該鍔部が該開口の縁部に対し上方から重なり、該鍔部に前記防水シートが重なっていることを特徴とする防水床構造。
【請求項３】
請求項１において、前記下地板の開口にトラップ接続筒が設けられ、
該トラップ接続筒の下部に前記排水トラップが取り付けられており、
該トラップ接続筒は、上縁外周に鍔部を有しており、該鍔部が該開口の縁部に対し上方から重なり、該鍔部に前記防水シートが重なっていることを特徴とする防水床構造。
【請求項４】
請求項２において、該排水トラップは、上下方向に伸縮可能であることを特徴とする防水床構造。
【請求項５】
請求項３において、該トラップ接続筒は上下方向に伸縮可能であることを特徴とする防水床構造。
【請求項６】
請求項２ないし５のいずれか１項において、前記下地板の上面は、前記開口の縁部がその周囲よりも低い段部となっており、
前記鍔部は該段部に係合しており、
該段部の深さは該鍔部の厚みと同等又はそれよりも大きいことを特徴とする防水床構造。
【請求項７】
請求項２ないし６のいずれか１項において、前記鍔部は、前記開口の縁部に対し有機系接着剤により接着されていることを特徴とする防水床構造。
【発明の詳細な説明】
【技術分野】
【０００１】
本発明は、床スラブの上に浴室等のための防水床が構築された防水床構造に係り、特に防水パンを用いることなく構築された防水床構造に関する。
【背景技術】
【０００２】
マンション等の建物に浴室を構築する場合、従来は防水パンが用いられている。この防水パンは、ガラス繊維等の補強繊維と各種フィラーを含有した合成樹脂（ＦＲＰ）製のものである。このＦＲＰ製防水パンに排水トラップが設けられている（例えば特開平８−２３２３１７号）。
【０００３】
なお、戸建て住宅の１階部分の浴室であれば、地盤上にコンクリートを流して床コンクリートを構築し、この上にタイル張りして浴室床を構築することができるが、集合住宅では、このような在来工法は防水性に不安があり、近年は殆ど採用されていない。なお、この在来工法は工期が長くなると共に、施工の手間もかかる。
【特許文献１】特開平８−２３２３１７号公報
【発明の開示】
【発明が解決しようとする課題】
【０００４】
防水パンは規格工業製品であり、特定大きさ（例えば０．７５坪、１坪、１．５坪など）の方形平面視形状に限られてしまい、施主の希望通りの大きさ及び平面形状の浴室等を構築することができない。
【０００５】
本発明は、任意の大きさ及び平面形状の防水床を構築することができる防水床構造を提供することを目的とする。
【課題を解決するための手段】
【０００６】
本発明（請求項１）の防水床構造は、床スラブの上側に該床スラブから離隔して設置された下地板と、該下地板の上側に敷設された防水シートと、該防水シートの上側に設けられた床仕上げ材とを備えた防水床構造であって、該下地板にトラップ設置用の開口が設けられ、該開口に排水トラップが設置されていることを特徴とするものである。
【０００７】
請求項２の防水床構造は、請求項１において、該排水トラップは、上縁外周に鍔部を有しており、該鍔部が該開口の縁部に対し上方から重なり、該鍔部に前記防水シートが重なっていることを特徴とするものである。
【０００８】
請求項３の防水床構造は、請求項１において、前記下地板の開口にトラップ接続筒が設けられ、該トラップ接続筒の下部に前記排水トラップが取り付けられており、該トラップ接続筒は、上縁外周に鍔部を有しており、該鍔部が該開口の縁部に対し上方から重なり、該鍔部に前記防水シートが重なっていることを特徴とするものである。
【０００９】
請求項４の防水床構造は、請求項２において、該排水トラップは、上下方向に伸縮可能であることを特徴とするものである。
【００１０】
請求項５の防水床構造は、請求項３において、該トラップ接続筒は上下方向に伸縮可能であることを特徴とするものである。
【００１１】
請求項６の防水床構造は、請求項２ないし５のいずれか１項において、前記下地板の上面は、前記開口の縁部がその周囲よりも低い段部となっており、前記鍔部は該段部に係合しており、該段部の深さは該鍔部の厚みと同等又はそれよりも大きいことを特徴とするものである。
【００１２】
請求項７の防水床構造は、請求項２ないし６のいずれか１項において、前記鍔部は、前記開口の縁部に対し有機系接着剤により接着されていることを特徴とするものである。
【発明の効果】
【００１３】
本発明の防水床構造は、床スラブの上側に下地板を設置し、この下地板の上に防水シートを敷設し、この防水シートの上にタイル等の床仕上げ材で仕上げしてなるものであり、下地板として任意の大きさ及び形状のものを用いることができる。また、複数枚の下地板を突き合わせるようにして並設することもできる。下地板上に敷設する防水シートは、長尺物を巻き取ったロールから巻き出して敷設するものであり、任意の大きさ、形状とすることができる。なお、防水シートも、突き合わせてその上から防水テープを張ることにより、大きな面積を覆うことができる。
【００１４】
従って、本発明の防水床構造によると、任意の大きさ及び形状の浴室等を構築することが可能である。
【００１５】
請求項２又は３の防水床構造にあっては、鍔部の上に防水シートが重なっており、排水トラップ回りの水仕舞いが良好である。
【００１６】
請求項４，５の防水床構造にあっては、下地板の下側に引き回された排水管と排水トラップの排水口の高さとを容易に合致させることができる。
【００１７】
請求項６の防水床構造にあっては、この鍔部が段部内に配置され、且つ鍔部の上面が周囲の下地板上面と面一か又はそれよりも下位となるので、排水トラップ周囲から排水トラップに水が流れ込み易くなり、排水トラップ周囲の水切れが良好となる。
【００１８】
請求項７の防水床構造にあっては、鍔部が有機系接着剤でトラップ設置用開口の縁部に接着されているため、該有機系接着剤の防水機能により、この部分の防水性が高いものとなる。なお、この有機系接着剤としては、例えばエポキシ系接着剤、アクリル系接着剤、ゴム系接着剤などが挙げられる。
【発明を実施するための最良の形態】
【００１９】
以下に、図面を参照して本発明の実施の形態について説明する。第１図は実施の形態に係る防水床構造を示す縦断面図、第２図は第１図のII部分の拡大図、第３図は排水トラップの上面図、第４図はこの防水床構造の腰壁付近における縦断面図である。なお、第１図は第３図のＩ−Ｉ線に沿う断面図である。
【００２０】
この実施の形態では、建物の浴室等のコンクリート製床スラブ１の上側に、該床スラブ１の上面から離隔して下地板２が配設されている。該下地板２の下面からは、複数本の足ボルト（アジャスタボルト）３が下方に向って突設されており、この足ボルト３によって下地板２が所定の高さに支持されている。各足ボルト３は、下地板２の下面に設けられたナット３ａに螺着されており、各足ボルト３のナット３ａへのねじ込み量を調節することにより、下地板２の高さの調整や水平出しが行われる。
【００２１】
この下地板２は、任意の平面形状及び大きさに成形しうるものとなっている。この下地板２は、耐水性能を有する材質よりなることが好ましい。このような材質としては、例えば、樹脂板や樹脂含浸合板などが挙げられる。ただし、下地板２の材質はこれに限定されるものではなく、耐水性を有しない材質（例えば、ベニヤ板やパーチクルボードなど）により下地板２を構成してもよい。
【００２２】
この実施の形態では、それぞれ所定の形状及び大きさに成形された複数枚の下地板２を互いに突き合わせるようにして並設することにより、目的とする平面視形状の下地面を形成している。この下地面の外縁部に位置する下地板２は、第４図に示すように、側端面を室の周囲の壁面４に突き合わせるようにして配置されている。なお、図示の通り、該下地板２と壁面４との継ぎ目を封止するために、該下地板２の上面と壁面４とにまたがって防水テープ５が貼り付けられている。
【００２３】
このように配設された下地板２の上側に防水シート６が敷設されている。この防水シート６は、例えばＥＶＡシート等よりなるが、この防水シート６の材質に特に制限はない。この防水シート６は、長尺物を巻き取ったローラから巻き出して敷設されるものであり、カッター等を用いて容易に任意の平面形状及び大きさに裁断することができる。この防水シート６は、粘着テープ（図示略）等により下地板２の上面に貼り付けられている。
【００２４】
この実施の形態では、下地面の幅が防水シート６のロールの幅よりも大きいため、防水シート６を複数列並設して該下地面を覆っている。この際、隣り合う防水シート６を互いに突き合わせるようにして配列し、その上から防水テープ（図示略）を貼り付けて両者の継ぎ目を封止している。
【００２５】
この防水シート６の上側にセメント板７が敷設され、このセメント板７の上にタイル８が貼り付けられている。この実施の形態では、該セメント板７とタイル８とが床仕上げ材である。該セメント板７は、セメント質の芯板にメッシュシートを埋め込んでなるものである。このセメント板７も、カッター等を用いて容易に任意の平面形状及び大きさに裁断することができる。この実施の形態では、それぞれ所定の形状及び大きさに裁断された複数枚のセメント板７を互いに突き合わせるようにして並設することにより、１枚の該セメント板７よりも大面積の下地面を覆っている。
【００２６】
このセメント板７は、粘着テープや接着剤（図示略）等により防水シート６に貼り付けられている。また、タイル８も、粘着テープや接着剤等によりセメント板７に貼り付けられている。
【００２７】
なお、この実施の形態では、壁面４にもセメント板７が貼り付けられ、その上からタイル８が貼り付けられている。
【００２８】
この実施の形態では、床スラブ１の所定位置から排水管９が立ち上げられており、この排水管９の上側に配置された下地板２には、排水トラップ設置用の開口１０が設けられている。この開口１０に排水トラップ１１が設置され、該排水管９に接続されている。
【００２９】
排水トラップ１１は、上部が開放した容器形状のトラップ本体１２と、該トラップ本体１２の底部に設けられた流出口１３と、該流出口１３を取り囲むように該トラップ本体１２の底部上面から立設された周回壁状の溢流壁１４と、該溢流壁１４に対し上方から被さった封水椀１５と、該トラップ本体１２の底部下面から下方へ突設された、該流出口１３と排水管９とを接続するための排水管接続筒１６と、該トラップ本体１２の上縁外周から全周にわたって側方へ突設された鍔部１７と、該鍔部１７に対し上方から重ね合わされる押えリング１８とを有している。
【００３０】
この実施の形態では、該押えリング１８は、鍔部１７と略同じ平面形状及び大きさを有している。該鍔部１７と押えリング１８とにはそれぞれ複数のビス挿通孔１７ａ，１８ａが設けられている。これらのビス挿通孔１７ａ，１８ａは、押えリング１８を鍔部１７の上に重ね合わせたときに同軸状に重なり合うよう配置されている。
【００３１】
前記開口１０は、このトラップ本体１２の通過は許容するが、鍔部１７の通過は許容しない大きさである。下地板２の上面は、該開口１０の周縁部が周囲よりも一段低い段部１９となっている。この段部１９は、鍔部１７が上方から係合可能であり、その深さは、該鍔部１７の厚みと同等か又はそれよりも若干大きなものとなっている。
【００３２】
排水トラップ１１は、下地板２に防水シート６を敷設する前に、あるいは少なくとも開口１０の周囲（段部１９）を防水シート６で覆っていない状態にて、該開口１０に設置される。この場合、まず、排水管接続筒１６に排水管９を差し込みつつトラップ本体１２を上方から開口１０に挿入し、鍔部１７を段部１９に係合させる。なお、排水管９の排水管接続筒１６への差し込みに際しては、該排水管９の外周面及び排水管接続筒１６の内周面にシール剤を付着させておく。
【００３３】
次に、鍔部１７の全周にわたって、該段部１９の周囲の下地板２の上面から該鍔部１７の上面にかけて一連に防水シート６を敷設し、さらにその上から押えリング１８を鍔部１７と同心状に重ねる。次いで、該鍔部１７及び押えリング１８の各ビス挿通孔１７ａ，１８ａにシール剤（図示略）を充填した後、該ビス挿通孔１７ａ，１８ａを介して上方から下地板２にビス２０を打ち込む。このビス打ちにより、鍔部１７と押えリング１８とが下地板２に固定されると共に、防水シート６が上方から押えリング１８によって押え付けられて鍔部１７の上面に密着する。これにより、排水トラップ１１の設置が完了する。
【００３４】
このようにして設置された排水トラップ１１の上側に排水ユニット本体２１が装着される。この排水ユニット本体２１は、トラップ本体１２に内嵌する筒部２１ａと、該筒部２１ａの上縁外周から放射状に形成された水受け皿２１ｂとを有している。該水受け皿２１ｂは、押えリング１８の上面をすっぽりと覆いうる大きさ及び形状となっている。該水受け皿２１ｂの周縁部には土手部２１ｃが形成されている。
【００３５】
この排水ユニット本体２１を排水トラップ１１に装着するに当っては、上方から筒部２１ａをトラップ本体１２内に挿入し、水受け皿２１ｂを押えリング１８の上側に重ね合わせる。なお、該筒部２１ａの外周にはＯリング２１ｄが装着されており、該筒部２１ａと
トラップ本体１２の内周面との間はこのＯリング２１ｄによって封止される。
【００３６】
なお、この実施の形態では、第１図に示す通り、該排水ユニット本体２１が排水トラップ１１の上部に装着された状態において、該土手部２１ｃの上面が周囲のタイル８の上面と略面一かそれよりも下位となるよう構成されている。
【００３７】
かかる構成の防水床構造にあっては、下地板２及び防水シート６を任意の大きさ及び平面形状とすることができる。従って、この防水床構造によれば、任意の大きさ及び形状の浴室等を構築することができる。
【００３８】
この実施の形態では、下地板２の上面から排水トラップ１１の鍔部１７の上にかけて防水シート６が重なっているので、排水トラップ１１回りの水仕舞いが良好である。また、この実施の形態では、水受け皿２１ｂの周縁部の土手部２１ｃの上面が周囲のタイル８の上面と略面一がそれよりも下位となっているので、排水トラップ１１の周囲から排水トラップ１１に水が流れ込み易くなり、該排水トラップ１１の周囲の水切れが良好となる。
【００３９】
この実施の形態では、排水トラップ１１を下地板２に対しビス２０で固定しているので、仮に排水トラップ１１が破損した場合でも、このビス２０を外すことにより容易に排水トラップ１１を交換することが可能である。なお、この実施の形態のように、該ビス２０が挿通される各ビス挿通孔１７ａ，１８ａにシール剤を充填することにより、各ビス挿通孔１７ａ，１８ａを介して水が鍔部１７と下地板２との間等に滲み込むことが防止され、防水性が良好なものとなる。また、これにより、ビス２０が下地板２０を貫通した場合でも下地板２の裏側に水が滲み出すことが防止されるため、長めのビスを用いて鍔部１７を強固に下地板２に固定することができる。
【００４０】
この実施の形態では、鍔部１７と、防水シート６を該鍔部１７に密着させるための押えリング１８とを共通のビス２０により下地板２に留め付けているため、排水トラップ１１の固定作業の簡略化及び作業時間の短縮が図られると共に、使用するビスの本数も少なくて済む。
【００４１】
ただし、鍔部１７の固定方法はこれに限定されるものではなく、ビス２０の代わりに粘着テープや接着剤又は粘着剤等を用いてもよい。この場合、例えば、排水トラップ１１の工場出荷時に予め鍔部１７の裏面に粘着剤層を形成しておくと共に、この粘着剤層に剥離紙を張り付けておき、排水トラップ１１の設置時にはこの剥離紙を剥して該粘着剤により鍔部１７を下地板２に接着するようにしてもよい。また、粘着剤等により鍔部１７を仮固定した後、ビス２０を打ち込んで本固定してもよい。このようにすることにより、ビス打ち時に鍔部１７が位置ズレせず、位置決め精度が高いものとなる。
【００４２】
鍔部１７を接着剤で下地板２に接着する場合、この接着剤として有機系接着剤を用いることが好ましい。この有機系接着剤は防水機能を有しているので、鍔部１７と下地板２との接合部の防水性が高いものとなる。この有機系接着剤としては、例えば、エポキシ系接着剤、アクリル系接着剤、ゴム系接着剤などが挙げられるが、これに限定されるものではない。
【００４３】
なお、この有機系接着剤を用いて鍔部１７を下地板２に仮固定しておき、ビス２０を打ち込むようにしてもよい。このようにすることにより、鍔部１７の位置決め精度とこの部分の防水性の双方が向上する。
【００４４】
なお、本発明においては、排水トラップの材質に特に制限はなく、例えば鋳鉄等の金属製であってもよく、ＦＲＰ（繊維強化合成樹脂）等の合成樹脂製であってもよい。排水トラップを合成樹脂製とすることにより、排水トラップの軽量化や製造原価の低減を図ることができる。ユニットバス用等の市販の普及タイプの合成樹脂製排水トラップを利用することもできる。
【００４５】
第５図は別の実施の形態に係る防水床構造の縦断面図である。
【００４６】
この実施の形態では、床スラブ１の上面に沿って排水管９Ａが配設され、その上側に、下地板２が足ボルト３によって該床スラブ１の上面から所定高さに支持されるようにして設置されている。該排水管９Ａは、床スラブ１の上面から離隔して所定高さに配置されている。この実施の形態では、該下地板２の排水トラップ設置用の開口１０にトラップ接続筒３０が装着され、このトラップ接続筒３０に排水トラップ１１Ａが取り付けられている。
【００４７】
該トラップ接続筒３０は、開口１０に挿入される筒本体３１と、該筒本体３１の上縁外周から全周にわたって側外方へ突設された鍔部３２と、該筒本体３１の下縁内周から該筒本体３１の中心方向へ突設された内向き鍔部３３とを有している。この実施の形態でも、下地板２の上面には、開口１０を取り囲むように一段低い段部１９が形成されており、鍔部３２は、この段部１９に対し上方から係合しうるよう構成されている。該段部１９の深さは、この実施の形態でも、鍔部３２の厚さと同等かそれよりも大きいものとなっている。内向き鍔部３３の内周径は、後述の封水筒３８の筒部３８ａの外径と同等かそれよりも大きいものとなっている。
【００４８】
排水トラップ１１Ａは、上部が開放した容器状のトラップ本体３４と、該トラップ本体３４の側面（周壁部）に設けられた流出口３５と、該トラップ本体３４の底部から上方へ立設された周回壁状の溢流壁３６と、該トラップ本体３４の上縁内周から該トラップ本体３４の中心方向へ突設された内向き鍔部３７と、該内向き鍔部３７の内側開口を介して上方から該溢流壁３６の内側へ挿入される封水筒３８と、該流出口３５と同心状に該トラップ本体３４の側面から側方へ突設された排水管接続筒３９とを有している。
【００４９】
該内向き鍔部３７の内周径は、前記トラップ接続筒３０の下端の内向き鍔部３３の内周径と略同等となっている。封水筒３８は、この内向き鍔部３７の内側開口に挿入される筒部３８ａと、該筒部３８ａの上縁外周から側外方へ突設された外向き鍔部３８ｂとを有している。
【００５０】
この排水トラップ１１Ａは、下地板２が設置される前に、排水管接続筒３９を介して排水管９Ａに接続される。この接続に際しては、排水管接続筒３９の内周面及び排水管９Ａの外周面にシール剤を付着させておき、該排水管接続筒３９内に排水管９Ａを差し込む。
【００５１】
この排水トラップ１１Ａを排水管９Ａに接続した後、床スラブ１の上側に下地板２を設置する。この際、開口１０が設けられた下地板２は、該開口１０がトラップ本体３４の上面の内向き鍔部３７の内側開口と略同心状に重なるように配置される。
【００５２】
次に、この下地板２の上側に防水シート６を敷設する前に、あるいは少なくとも開口１０の周囲（段部１９）を防水シート６で覆っていない状態にて、トラップ接続筒３０の筒部３１を上方から該開口１０に挿入し、該筒部３１の下端の内向き鍔部３３を前記内向き鍔部３７の上に重ね合わせると共に、上端の外向き鍔部３２を開口１０の周囲の段部１９に係合させる。なお、筒部３１を開口１０に挿入するに際し、鍔部３７の上面又は鍔部３３の下面にパッキン（符号略）を配置しておき、該鍔部３３，３７同士の間にこのパッキンを介在させる。その後、該鍔部３３，３７同士を貫くようにビス（図示略）打ちして両者を結合する。ただし、この鍔部３３，３７同士の結合方法はこれに限定されるものではなく、接着剤等を用いてもよい。
【００５３】
次に、段部１９に係合した鍔部３２の全周にわたって、該段部１９の周囲の下地板２の上面から該鍔部３２の上面にかけて一連に防水シート６を敷設し、さらにその上から押えリング１８を鍔部３２と同心状に重ねる。
【００５４】
その後、上方から該押えリング１８及び該鍔部３２を貫くようにして下地板２にビス（図示略）を打ち込む。このビス打ちにより、鍔部３２と押えリング１８とが下地板２に固定されると共に、防水シート６が上方から押えリング１８によって押え付けられて鍔部３２の上面に密着する。これにより、トラップ接続筒３０の開口１０への装着及び該トラップ接続筒３０と排水トラップ１１Ａとの接続が完了する。なお、この実施の形態でも、該鍔部３２を接着剤で下地板２に接着してもよく、接着剤で仮固定した後、ビス打ちしてもよい。
【００５５】
その後、該鍔部３３，３７の内側開口に上方から封水筒３８の筒部３８ａを差し込み、該筒部３８ａを溢流部３６の内側に挿入すると共に、該筒部３８ａの上端の外向き鍔部３８ｂを鍔部３３の上側に重ねる。なお、この筒部３８ａの差し込みに際しては、該鍔部３３の上側又は鍔部３８ｂの下側にパッキン（符号略）を配置しておき、該鍔部３３，３８ｂ同士の間にこのパッキンを介在させる。
【００５６】
この実施の形態では、排水ユニット本体２１は、トラップ接続筒３０の上部に装着される。この装着に際しては、該排水ユニット本体２１の筒部２１ａを上方からトラップ接続筒３０内に差し込み、水受け皿２１ｂを押えリング１８の上側に被せる。この際、該筒部２１ａの外周に装着されたＯリング２１ｄが該筒部２１ａの外周面とトラップ接続筒３０の内周面との間を封止する。
【００５７】
この防水床構造のその他の構成は前述の第１〜４図の防水床構造と同様となっており、同一符号は同一部分を示している。
【００５８】
この実施の形態でも、開口１０に装着されたトラップ接続筒３０の鍔部３２の上に防水シート６が重なっているので、トラップ接続筒３０回りの水仕舞いが良好である。しかも、この実施の形態でも、この鍔部３２が該鍔部３２の厚みと同等かそれよりも大きい深さを有する段部１９内に配置されており、該鍔部３２の上面が周囲の下地板２の上面と略面一か又はそれよりも下位となっているので、トラップ接続筒３０の周囲から該トラップ接続筒３０に水が流れ込み易くなり、該トラップ接続筒３０の水切れが良好となる。
【００５９】
第６図及び第７図はさらに別の実施の形態に係る防水床構造の縦断面図である。なお、第６図はトラップ接続筒の長さを大きくした状態を示し、第７図はトラップ接続筒の長さを小さくした状態を示している。
【００６０】
この実施の形態でも、床スラブ１の上面に沿って排水管９Ａが配設され、その上側に、下地板２が足ボルト３によって該床スラブ１の上面から所定高さに支持されるようにして設置されている。該排水管９Ａは、床スラブ１の上面から離隔して所定高さに配置されている。また、この実施の形態でも、該下地板２の排水トラップ設置用開口１０にトラップ接続筒３０Ａが装着され、このトラップ接続筒３０Ａに排水トラップ１１Ａが取り付けられている。
【００６１】
この実施の形態では、トラップ接続筒３０Ａは、該開口１０に挿通される筒部３１Ａが上下方向に伸縮可能となっている。詳しくは、該筒部３１は、外筒４１と、該外筒４１の下端側に同軸状に且つ挿抜方向摺動自在に内嵌した内筒４２とを有している。該内筒４２を外筒４１の下端から下方へ引き出したり、上方へ押し込んだりすることにより、筒部３１Ａを上下方向に伸縮させることができる。
【００６２】
なお、該外筒４１の下縁内周には、該外筒４１の中心側へ張り出す凸段部（符号略）が形成され、内筒４２の上縁外周には、側外方へ張り出す凸段部（符号略）が設けられている。内筒４２が下方へ所定量引き出されると、これらの凸段部同士が当り、内筒４２の外筒４１からの抜け落ちが防止される。また、内筒４２の凸段部の外周面にはＯリング（符号略）が装着されており、このＯリングによって該内筒４２の外周面と外筒４１の内周面との間の隙間がシールされている。
【００６３】
この実施の形態では、該外筒４１の上縁外周から側外方へ外向き鍔部３２が突設され、内筒４２の下縁内周から該内筒４２の中心側へ内向き鍔部３３が突設されている。
【００６４】
この実施の形態に係る防水床構造のその他の構成は前述の第５図の防水床構造と同様となっている。
【００６５】
この防水床構造におけるトラップ接続筒３０Ａの設置方法を以下に説明する。
【００６６】
この実施の形態でも、排水管９Ａに排水トラップ１１Ａを接続してから床スラブ１の上側に下地板２を設置する。そして、この下地板２の上側に防水シート６を敷設する前に、あるいは少なくとも開口１０の周囲（段部１９）を防水シート６で覆っていない状態にて、トラップ接続筒３０Ａの筒部３１Ａを上方から該開口１０に挿入し、該筒部３１Ａ（外筒４１）の上端の鍔部３２を該開口１０の周囲の段部１９に係合させる。この際、外筒４１の下端からの内筒４２の繰り出し量を調節して該内筒４２の下端の鍔部３３をトラップ本体３３の上面の鍔部３７に重ね合わせる。
【００６７】
なお、筒部３１Ａを開口１０に挿入するに際し、鍔部３７の上面又は鍔部３３の下面にパッキン（符号略）を配置しておき、該鍔部３３，３７同士の間にこのパッキンを介在させる。
【００６８】
その後、該鍔部３３，３７同士を貫くようにビス（図示略）打ちして両者を結合する。ただし、ビスの代わりに接着剤を用いてもよい。
【００６９】
これにより、トラップ接続筒３０Ａと排水トラップ１１Ａとの接続が完了する。
【００７０】
次に、段部１９に係合した鍔部３２の全周にわたって、該段部１９の周囲の下地板２の上面から該鍔部３２の上面にかけて一連に防水シート６を敷設し、さらにその上から押えリング１８を鍔部３２と同心状に重ねる。
【００７１】
その後、上方から該押えリング１８及び鍔部３２を貫くようにして下地板２にビス（図示略）を打ち込む。このビス打ちにより、鍔部３２と押えリング１８とが下地板２に固定されると共に、防水シート６が上方から押えリング１８によって押え付けられて鍔部３２の上面に密着する。なお、この実施の形態でも、該鍔部３２を接着剤で下地板２に接着してもよく、接着剤で仮固定した後、ビス打ちしてもよい。
【００７２】
これにより、トラップ接続筒３０Ａの開口１０への装着が完了する。
【００７３】
かかる構成の防水床構造にあっては、トラップ接続筒３０Ａの筒部３１Ａを上下方向へ伸縮させることにより、排水管９Ａの高さと排水トラップ１１Ａの流出口３５の高さとを容易に合致させることができる。
【００７４】
上記の各実施の形態はいずれも本発明の一例を示すものであり、本発明は上記の各実施の形態に限定されるものではない。
【００７５】
例えば、床仕上げ材としてタイル以外の仕上げ材、例えばモルタル等の湿式床仕上げ材を用いてもよい。
【図面の簡単な説明】
【００７６】
【図１】実施の形態に係る防水床構造を示す縦断面図である。
【図２】図１のII部分の拡大図である。
【図３】排水トラップの上面図である。
【図４】図１の防水床構造の腰壁付近における縦断面図である。
【図５】別の実施の形態に係る防水床構造の縦断面図である。
【図６】さらに別の実施の形態に係る防水床構造の縦断面図である。
【図７】さらに別の実施の形態に係る防水床構造の縦断面図である。
【符号の説明】
【００７７】
１  床スラブ
２  下地板
３  足ボルト
４  壁面
５  防水テープ
６  防水シート
７  セメント板
８  タイル
９，９Ａ  排水管
１０  排水トラップ設置用開口
１１，１１Ａ  排水トラップ
１７  鍔部
１８  押えリング
１９  段部
３０，３０Ａ  トラップ接続筒
３１，３１Ａ  筒部
３２  鍔部
３３  内向き鍔部
４１  外筒
４２  内筒
【図１】
2006132197.tif 000003
【図２】
2006132197.tif 000004
【図３】
2006132197.tif 000005
【図４】
2006132197.tif 000006
【図５】
2006132197.tif 000007
【図６】
2006132197.tif 000008
【図７】
2006132197.tif 000009